(57)【要約】【課題】  放流管底を浅くできるので、施工が容易となる浄化槽を提供することを目的とする。【解決手段】  内部が複数の室に仕切られ、第１室である汚泥貯留槽１の上部に、被処理水中の固形物を略分離して汚泥貯留槽１の下部に落下させる固液分離装置１１が設けられ、被処理水を浄化槽内に流入させる流入管６から、固液分離装置１１に被処理水が流入するように構成された浄化槽。【選択図】  図２
2005199277.tif 000002
【特許請求の範囲】
【請求項１】
内部が複数の室に仕切られた浄化槽において、
上流側から数えて１番目の室（以下、第１室という。）の上部に、被処理水中の固形物を略分離して前記第１室の下部に落下させる固液分離装置が設けられ、
被処理水を浄化槽内に流入させる流入管から、前記固液分離装置に被処理水が流入するように構成された
ことを特徴とする浄化槽。
【請求項２】
前記第１室が設けられて被処理水を１次処理する１次処理槽と、
１次処理された被処理水を２次処理する２次処理槽と、
前記１次処理槽から前記２次処理槽へ被処理水を揚水する揚水手段と、
を有し、
通常運転時に、前記揚水手段により、前記２次処理槽が前記１次処理槽よりも高水位とされる
ことを特徴とする請求項１記載の浄化槽。
【発明の詳細な説明】
【技術分野】
【０００１】
本発明は、汚水を処理する浄化槽に関する。
【背景技術】
【０００２】
従来の浄化槽には、例えば下記非特許文献１に挙げるものがある。この非特許文献１に示される浄化槽は、図８に示すように、嫌気ろ床槽第１室１０１、嫌気ろ床槽第２室１０２、生物ろ過槽１０３、処理水槽１０４、及び、消毒槽１０５を備えている。嫌気ろ床槽第１室１０１及び嫌気ろ床槽第２室１０２は、流入管１０６から流入した汚水（被処理水）の１次処理を行う１次処理槽Ｓ１０であり、生物ろ過槽１０３及び処理水槽１０４は、１次処理された被処理水の２次処理を行う２次処理槽Ｓ２０である。生物ろ過槽１０３は、上部が担体流動槽１０３ａ、下部が生物ろ過槽１０３ｂの２層構造となっている。そして、ブロワ１１０により、担体流動槽１０３ａに常時空気が供給され、ブロワ１１１により、１日１回逆洗のために生物ろ過槽１０３ｂに空気が供給される。
【０００３】
嫌気ろ床槽第１室１０１から嫌気ろ床槽第２室１０２へは、エアリフトポンプを利用した流量調整装置１０８によって、汚水の流入量の変動に関係なく、略一定量の被処理水が移送される。このように、浄化槽では、水質の安定化のため、ポンプによって流量調整を行うのが一般的である。また、嫌気ろ床槽第２室１０２から生物ろ過槽１０３へは、移流口１１２を介して被処理水が移送される。したがって、通常運転時、嫌気ろ床第２室１０２と生物ろ過槽１０３との水位は同水位となっている。
【０００４】
２次処理された被処理水は、処理水槽１０４から消毒槽１０５に移送され消毒されて、放流管１０７から放流される。また、処理水槽１０４内の被処理水は、常時、その一部が循環水移送管１０９により嫌気ろ床槽第１室１０１に返送され、再度、嫌気ろ床槽第２室１０２、生物ろ過槽１０３を経て処理水槽１０４に流入する。このように、一般に、浄化槽では、被処理水の循環が常時行われており、この循環により、被処理水の脱窒が起こり、生物ろ過槽１０３への負担が軽減されて、水質が向上する。
【非特許文献１】財団法人日本環境整備教育センター編，「高度処理型（窒素除去型、小容量型、膜分離型）小型合併処理浄化槽維持管理講習会テキスト」，第１版，財団法人日本環境整備教育センター，平成１３年２月，ｐ．１４２−１７５
【発明の開示】
【発明が解決しようとする課題】
【０００５】
この発明は、放流管底の位置を浅くできるので、施工が容易となる浄化槽を提供することを目的とする。
【課題を解決するための手段】
【０００６】
本発明の浄化槽は、内部が複数の室に仕切られた浄化槽において、上流側から数えて１番目の室（以下、第１室という。）の上部に、被処理水中の固形物を略分離して前記第１室の下部に落下させる固液分離装置が設けられ、被処理水を浄化槽内に流入させる流入管から、前記固液分離装置に被処理水が流入するように構成されたことを特徴とする。
【０００７】
ここで、前記第１室が設けられて被処理水を１次処理する１次処理槽と、１次処理された被処理水を２次処理する２次処理槽と、前記１次処理槽から前記２次処理槽へ被処理水を揚水する揚水手段と、を有し、通常運転時に、前記揚水手段により、前記２次処理槽が前記１次処理槽よりも高水位とされることが好ましい。
【０００８】
このようにすれば、２次処理槽の水位を高くできるので、放流管底の位置が浅くなり、放流管を側溝等に接続するときの勾配が付け易くなり、施工が容易となる。
【発明を実施するための最良の形態】
【０００９】
以下、本発明の一実施形態を図面に基づいて説明する。
【００１０】
図１及び図２に示すように、本実施形態の浄化槽は、上面に点検口となる３つの開口部Ｈ１、Ｈ２、Ｈ３を有するタンクＴと、開口部Ｈ１、Ｈ２、Ｈ３を開閉する蓋Ｌ１、Ｌ２、Ｌ３とを備え、タンクＴの内部には、仕切壁１０、２０、３０で仕切られることにより、第１室である汚泥貯留槽１、第２室である予備ろ過槽２、第３室である担体流動槽３、及び、第４室である生物ろ過槽４が形成されている。汚泥貯留槽１及び予備ろ過槽２は被処理水の１次処理（本実施形態では嫌気処理）を行う１次処理槽Ｓ１であり、担体流動槽３及び生物ろ過槽４は被処理水の２次処理（本実施形態では好気処理）を行う２次処理槽Ｓ２である。また、タンクＴ内部の生物ろ過槽４の上部には、消毒槽５が配設されている。
【００１１】
汚泥貯留槽１は、上部に配置される固液分離部（固液分離装置とも言う。）１１と、下部に配置される汚泥濃縮貯留部１２とを備えている。固液分離装置１１は、汚水中の夾雑物（固形物）と液体とを大まかに分離する装置である。固液分離装置１１は、点検口である開口部Ｈ１の下方に配置されている。固液分離装置１１には、汚水を流入させる流入管６の流出口６１が中央前部１５の上部に配置され、逆洗排水返送管８の流出口８１が中央後部１６の上部に配置される。
【００１２】
固液分離装置１１は、図３に示すように、前壁部１１ａ、後壁部１１ｂ、右壁部１１ｃ、及び、左壁部１１ｄで囲まれて、上方及び下方が開放された略箱体状をなして、仕切壁１０に固着されている。なお、本実施形態の浄化槽及び固液分離装置１１における前後左右とは、それぞれ図１の矢印で示す方向とする。
【００１３】
前壁部１１ａの上部には、流入管６が挿通される挿通孔１１ｋが形成されている。後壁部１１ｂの上端部には、逆洗排水返送管８を配置するための凹部１１ｐが形成されている。後壁部１１ｂの左側上部には移流口１１ｒが設けられ、移流口１１ｒは仕切壁１０を貫通して、固液分離部１１と予備ろ過槽２とを連通している。前壁部１１ａの下部は後方に折曲されて傾斜し、後壁部１１ｂの下部は前方に折曲されて傾斜しており、それらの間には、固液分離部１１と汚泥濃縮貯留部１２とを連通する下方開口部１１ｑが形成されている。なお、後壁部１１ｂの下部は、前壁部１１ａの下部よりも下方まで延びている。
【００１４】
固液分離装置１１の内部には、中央前部１５と中央後部１６との間に仕切板１１ｊが配設され、中央前部１５には、挿通孔１１ｋより下位に傾斜板１１ｅが配設されている。中央前部１５及び中央後部１６と、右側部１７との間には、略垂直方向に伸びる阻流板１１ｆが配設され、阻流板１１ｆの前部１１ｕは、傾斜板１１ｅの下端から下方に延びるように配設されている。なお、阻流板１１ｆの下端の角部１１ｓ、１１ｓが切欠かれているのは、下方における流通面積を大きくして、被処理水の流れを遅くするためである。また、中央前部１５及び中央後部１６と、左側部１８との間には、流入した被処理水が固液分離装置１１の下部を通らずに移流口１１ｒから流出してしまうことを防止するため、略垂直方向に延びる阻流板１１ｇが配設されている。
【００１５】
予備ろ過槽２には、図２に示すように、ネット部材２３、２４で上下を挟まれた中央部に、嫌気性微生物が付着したろ材を充填することにより、ろ床２６が形成されている。また、予備ろ過槽２の後部の中央部には、担体流動槽３との間を仕切る仕切壁２０と、断面略コ字形状の仕切壁２７とで区画されることにより、バッフル部２１が形成されている。仕切壁２７の下端は、予備ろ過槽２の底壁よりも上に配置され、バッフル部２１は、ろ床２６の下方に位置する予備ろ過層２の下部２８と連通されている。
【００１６】
バッフル部２１には、揚水手段である定量移送装置２２が、固定用アングル２９により所定位置に固定されている。定量移送装置２２は周知のエアリフトポンプであり、予備ろ過槽２の水位が図２に示す低水位（L.W.L.）以上の場合に、略一定量の被処理水を間欠的に汲み上げて、担体流動槽３に移送する。定量移送装置２２は、エア供給管Ｐ１を介して図示しないブロワに連結されている。定量移送装置２２の揚水管２２ａは、仕切壁２０を貫通して担体流動槽３まで延設され、揚水管２２ａの流出口は、担体流動槽３の通常運転時における水位（W.L.）より上となるように、担体流動槽３の上部に配置されている。
【００１７】
また、バッフル部２１には、図１に示すように、仕切壁２０に、ポンプの故障等の異常時にオーバーフローした被処理水を担体流動槽３に逃がすためのオーバーフロー口２０１が設けられている。オーバーフロー口２０１の下縁位置は、図７に示すように、予備ろ過槽２の通常運転時における高水位（H．W．L．）、及び、担体流動槽３の通常運転時における水位（W．L．)より上とされる。
【００１８】
担体流動槽３には、好気性微生物が付着したプラスチック製の担体が充填されている。この担体は、後述するオリフィス９２を閉塞させにくい形状（本実施形態では歯車状）とされている。また、担体流動槽３には、散気管３２が底部付近まで延設されている。散気管３２は、エア供給管Ｐ１を介して図示しないブロワに連結されている。仕切壁２０には、循環装置である移送管９が、略水平方向に延びるように挿通され、この移送管９により、担体流動槽３と予備ろ過槽２とが連通され、すなわち、２次処理槽Ｓ２と１次処理槽Ｓ１とが連通されている。
【００１９】
移送管９の流入側の部分である流入側部９０には、図４に示すように、オリフィス９２と回動部材９４とが設けられている。移送管９は、断面略円形状であり、キャップ部材９ａ、キャップ部材９ａに嵌合される短管部材９ｂ、短管部材９ｂに連結される長管部材９ｃ、短管部材９ｂと長管部材９ｃとを連結する連結部材９ｄ、及び、キャップ部材９ａに軸着される回動部材９４を備え、キャップ部材９ａに、小孔状のオリフィス９２が穿設されている。
【００２０】
詳しくは、移送管９には、図４及び図５に示すように、流入側の端面９１にオリフィス９２が設けられ、端面９１のオリフィス９２以外の部位は閉塞されている。オリフィス９２の開口面は、担体が通過できないような形状（本実施形態では、上縁が凹んだ略楕円形状）及び大きさとされている。移送管９の流出側の端面９９は全面的に開口している。
【００２１】
また、端面９１には、端面９１の中心９３を中心として端面９１上で回動する回動部材９４が配設されている。回動部材９４は流量調整手段に相当する。回動部材９４は、図５（ｃ）に示すように、オリフィス９２の横幅よりも少し大きい幅を有して、オリフィス９２を閉塞可能な細長い板状部材である。回動部材９４の上端部（図５（ｃ）の状態における上端部）は、移送管９の上面９５に掛かるように略直角に曲げられて、ガイド部９４ａをなしている。そして、図４（ａ）に示すように、ガイド部９４ａには線状のマークＭ１が付けられ、上面９５には、マークＭ１に合わせられるように、複数の目盛りＭ２が付けられている。なお、上面９５には、清掃用の開口部９６が設けられている。
【００２２】
そして、移送管９は、図２に示すように、オリフィス９２が設けられた端面９１が担体流動槽３内に配置され、端面９９が予備ろ過槽２内の高水位（H．W．L．）よりも高い位置に配置される。端面９１は、水平面に対して略９０°の角度をなしているので、オリフィス９２の開口面は、水平面に対して略９０°の角度をなしている。
【００２３】
仕切壁３０には、上部の両側部に移流口３３、３３が開口している。移流口３３、３３の下縁位置は、オリフィス９２の下縁位置よりも若干低い位置とされている。
【００２４】
生物ろ過槽４には、ネット部材４２、４３で上下を挟まれた中央部に、好気性微生物が付着した担体を充填することにより、ろ床４５が形成されている。また、生物ろ過槽４の前部の中央部には、担体流動槽３との間を仕切る仕切壁３０と、断面略コ字形状の仕切壁４６とで区画されることにより、処理水貯留部４１が形成されている。仕切壁４６の下端は、生物ろ過槽４の底壁よりも上に配置され、処理水貯留部４１は、ろ床４５の下方に位置する生物ろ過層４の下部４７と連通されている。仕切壁４６には、図１に示すように、異常時にオーバーフローした水を逃がすためのオーバーフロー口４０１が設けられている。
【００２５】
処理水貯留部４１には、逆洗排水返送用のエアリフトポンプ４８が配設され、エアリフトポンプ４８の下端部は、下部４７に配置されている。また、生物ろ過槽４には、逆洗管４９が、処理水貯留部４１を通って底部付近まで延設されている。エアリフトポンプ４８及び逆洗管４９は、エア供給管Ｐ２を介して図示しないブロワに連結されている。また、エアリフトポンプ４８には、逆洗排水返送管８が連結され、逆洗排水返送管８は、固液分離部１１の中央後部１６まで延設されている。
【００２６】
処理水貯留部４１の上部には、消毒槽５が配置されている。処理水貯留部４１の後壁には移送管５１が挿通され、略水平方向に延設されて、処理水貯留部４１と消毒槽５とを連通している。移送管５１は、両端面が全面的に開口されている。移送管５１の流入口５１ａの下縁位置は、移流口３３、３３の下縁位置よりも高く、さらに、オリフィス９２の上縁位置よりも高い位置とされている。また、オーバーフロー口４０１の下縁位置は、流入口５１ａの下縁位置より高い位置とされている。消毒槽５の上部には薬剤筒５２が配設されている。消毒槽５の後壁には、浄化処理された処理水を放流する放流管７が挿通されている。放流管７の流入口７１の下縁位置は、移送管５１の流出口５１ｂの下縁よりも低い位置とされる。放流管７は、タンクＴの後壁を貫通して、浄化槽の外部に延設される。
【００２７】
以上のように構成された浄化槽の作用について、次に説明する。図６は、浄化槽の処理の流れを示したものであり、図７は、被処理水の流れを矢印で示したものである。
【００２８】
まず、被処理水は、流入管６から固液分離部１１の中央前部１５に流入する。そして、被処理水は傾斜板１１ｅに沿って流下し、すなわち、被処理水は固液分離装置１１の長手方向に流れて、右側部１７に至って下方に潜り込む。このとき、被処理水は、傾斜板１１ｅに沿って流下し流速が遅くなることから、汚泥貯留部１２に貯留されている汚泥を巻き上げることが少ない。
【００２９】
被処理水中の比較的重い夾雑物は、下方開口部１１ｑから汚泥濃縮貯留部１２に落下する。このとき、夾雑物が、傾斜した前壁部１１ａの下部及び後壁部１１ｂの下部に沿って下降することから、夾雑物の落下速度が遅くなり、汚泥の巻上げが抑制される。
【００３０】
落下した夾雑物は、汚泥として汚泥濃縮貯留部１２に貯留される。ここで、固液分離装置１１の下方開口部１１ｑが浄化槽の左右方向に長く開口し、また、後壁部１１ｂの下部が、前壁部１１ａの下部よりも下方まで延びて、前方に傾斜していることから、汚泥が汚泥濃縮貯留部１２に略均等に堆積することとなり、汚泥の偏りによる詰まりの発生の虞を低減できる。
【００３１】
固液分離装置１１によって比較的重い夾雑物が取り除かれた被処理水は、移流口１１ｒから予備ろ過槽２に流入する。
【００３２】
予備ろ過槽２に流入した被処理水は、下降してろ床２６を通過し、ろ床２６中のろ材により残余の夾雑物が補足（物理ろ過）されるとともに、嫌気性微生物によって分解処理（嫌気処理）される。そして、下部２８からバッフル部２１に流入して、定量移送装置２２により汲み上げられ、揚水管２２ａから担体流動槽３に流入する。
【００３３】
担体流動槽３はばっ気処理が行なわれる槽であり、通常運転時には、常時、散気管３２から空気が噴出されているため、担体が槽内を流動している。この担体に付着している好気性微生物により、被処理水中の有機物が分解処理（好気処理）される。そして、被処理水は、移流口３３、３３から生物ろ過槽４に流入する。また、被処理水の一部は、後述するようにオリフィス９２を介して、予備ろ過槽２に返送される。
【００３４】
生物ろ過槽４に流入した被処理水は、下降してろ床４５を通過し、ろ床４５中の担体により浮遊物が捕捉（物理ろ過）されて、図７の色の薄い矢印で示すように、処理水貯留部４１に入り、移送管５１の流出口５１ｂから消毒槽５に流入する。なお、この明細書では、処理水貯留部４１に流入した段階以降の被処理水を、処理水というものとする。
【００３５】
生物ろ過槽４では、１日に１〜２回、逆洗管４９から空気を噴出させることにより、担体に捕捉された浮遊物を剥離し、エアリフトポンプ４８で槽内の水を引き抜くことにより、処理水貯留部４１内の処理水を逆流させて、ろ床４５の洗浄（逆洗）を行う。なお、引き抜かれた逆洗排水は、多量の浮遊物を含むため、逆洗排水返送管８により固液分離装置１１の中央後部１６に返送されて再処理される。
【００３６】
消毒槽５では、薬剤による処理水の消毒を行う。消毒後の処理水は放流管７から放流される。
【００３７】
次に、各槽の水位について説明する。汚泥貯留槽１の水位は、移流口１１ｒの下縁位置で決まり、図７に示す汚泥貯留槽１中のW.L.の位置となる。なお、移流口１１ｒの下縁位置は、予備ろ過槽２における高水位（H.W.L.)よりも高く設定され、処理水貯留部４１に配設される移送管５１の流入口５１ａの下縁位置よりは低く設定される。
【００３８】
予備ろ過槽２の水位は、流入汚水の時間変動に伴って変動するが、設計上、図７に示す高水位（H.W.L.）から低水位（L.W.L.）の範囲で変動するものとされている。この範囲は、所定の基準にしたがって定められるものであり、通常運転時においては、予備ろ過槽２の水位はこの範囲で変動する。なお、通常運転時とは、通常の使用状態で通常の運転がなされているときを言い、故障等の異常時や、予定人数を超えて使用する等の異常な使われ方をしたときは除くものとする。
【００３９】
処理水貯留部４１を含む生物ろ過槽４の水位は、移送管５１の流入口５１ａの下縁位置で決まり、また、移流口３３、３３の下縁位置が流入口５１ａの下縁位置よりも低いことから、担体流動槽３の水位は、生物ろ過槽４の水位と同レベルとなって、図７に示す担体流動槽３中のW.L.で示す位置となる。
【００４０】
そして、移送管９の端面９９が、予備ろ過槽２における高水位（H.W.L.)よりも高く、移送管５１の流入口５１ａの下縁位置が、移送管９のオリフィス９２の上縁位置、及び、汚泥貯留槽１の移流口１１ｒの下縁位置よりも高いことから、担体流動槽３の水位は、予備ろ過槽２における高水位（H.W.L.)よりも高くなり、さらに、汚泥貯留槽１の水位よりも高くなる。すなわち、通常運転時において、２次処理槽Ｓ２は１次処理槽Ｓ１よりも高水位となる。
【００４１】
消毒槽５の水位は、移送管５１の流出口５１ｂの下縁位置よりも約50mm以上低い位置とされ、放流管７の流入口７１の下縁位置で決まる。
【００４２】
オリフィス９２は、流入口５１ａの下縁位置よりも低い位置に配置されていることから、図７のW.L.よりも低い位置、すなわち、水面下に配置される。一方、移送管９の端面９９は、予備ろ過槽２における高水位（H．W．L．）よりも高い位置に配置されることから、オリフィス９２を介して担体流動槽３内の被処理水の一部が予備ろ過槽２に返送されることとなり、水位差の利用により無動力で、被処理水の常時循環が行われることとなる。
【００４３】
オリフィス９２から返送される被処理水の流量は、オリフィス９２の開口面積とオリフィス９２から担体流動槽３の水面までの高さによって決まる。そして、通常運転時においては、担体流動槽３の水位は略一定であることから、オリフィス９２から返送される被処理水の流量は略一定となり、循環される被処理水の流量が略一定となって、処理が安定し、水質が安定する。
【００４４】
また、オリフィス９２は、ばっ気処理が行われる担体流動槽３に配設されているため、槽内を流動する担体によってオリフィス９２が常時洗浄されるので、堆積物による閉塞が起こりにくい。このため、循環される被処理水の流量が略一定に保たれる。
【００４５】
さらに、一般に浄化槽では容量（人槽）によって循環水の流量を変える必要があるが、図５に示すように、回動部材９４を回動させて、オリフィス９２の開口面積を変えることにより、循環される被処理水の流量を容易に変えることができる。図５において、（ａ）は５人槽、（ｂ）は１０人槽、（ｃ）は循環停止の場合を示している。
【００４６】
そして、浄化槽では上面の開口部Ｈ１、Ｈ２、Ｈ３から確認、操作、清掃等が行われるが、図４に示すように、回動部材９４には上面９５に掛かるガイド部９４ａが延設されているため、上方からガイド部９４ａを持って回動部材９４を回動できるとともに、上方からガイド部９４ａの位置を視認することにより回動の程度が確認でき、調整が容易である。特に、マークＭ１と目盛りＭ２とを設けて、これらを合わせることとすれば、調整が一層容易である。なお、目盛りＭ２には、人槽や容量を表す数字等を付記しておくとよい。また、マークＭ１と目盛りＭ２は線以外の印でもよく、目盛りＭ２は、人槽、容量、流量、回転角度、または、開口面積の少なくとも１つを示す何らかの印であればよく、マークＭ１は、目盛りＭ２に合わせるための印であればよい。また、マークＭ１を突起としてもよい。
【００４７】
以上のように、本実施形態の浄化槽は、通常運転時に、１次処理槽Ｓ１の水位より２次処理槽Ｓ２の水位を高くして、水位差を利用して移送管９により２次処理槽Ｓ２から１次処理槽Ｓ１に被処理水を返送することとしたので、返送用のポンプを常時作動させる必要が無くなり、動力を低減できる。また、定量移送装置２２を使用することにより、時間当たり略一定量の被処理水が２次処理槽Ｓ２に移送されるので、処理が安定して行われ、水質が安定する。そして、上述したように、オリフィス９２によって循環水の流量が略一定に保たれることからも、水質の安定化が図られる。
【００４８】
また、２次処理槽Ｓ２の水位を高くすることにより、２次処理槽の容量を略最大限に利用でき、浄化槽の小型化が可能になる。そして、消毒槽５の水位は２次処理槽Ｓ２の水位より低くする必要があるが、２次処理槽Ｓ２の水位を高くすれば、消毒槽５の水位も高くできるため、消毒槽５に連結される放流管７の位置を高くできる（すなわち、放流管７の管底を浅くできる）。このため、放流管７を側溝等に接続するときの勾配が付け易くなり、放流管７の位置を上げるためのポンプが不要となる。
【００４９】
また、固液分離装置１１は、固液分離装置１１の長手方向に沿った前壁部１１ａに流入管６の挿通孔１１ｋを設けることにより、固液分離装置１１の長手方向と流入管６の軸方向とが略直交するように、流入管６を配置できる。ここで、流入管６の軸方向は、浄化槽の長手方向（前後方向）に略一致する。すなわち、固液分離装置１１は、固液分離装置１１の長手方向が浄化槽の短手方向（左右方向）に略一致し、固液分離装置１１の短手方向が浄化槽の長手方向に略一致するように配置可能に構成されているので、槽内のスペースを有効利用でき、容量が小さく前後方向の長さが短い浄化槽にも設置可能である。また、固液分離装置１１の長手方向を浄化槽の長手方向に一致させた場合のように、平面視においてタンクＴの開口部Ｈ１の略全面を固液分離装置１１が占めてしまうことがなくなり、開口部Ｈ１に対して若干オフセットして配置可能であり、図１の符号Ｓに示すように、汚泥濃縮貯留部１２の清掃用のスペースが確保できるので、汚泥濃縮貯留部１２の清掃が容易である。そして、固液分離装置１１の清掃等の管理も、開口部Ｈ１から可能であるので、全体として浄化槽の維持管理が容易となる。
【００５０】
また、固液分離装置１１を設けることにより、従来、夾雑物除去のために１次処理槽の前側の槽内に配置していたろ材が不要となるため、夾雑物の堆積量が多い場合の流入水流によるろ材の流出が発生しない。
【００５１】
なお、本実施形態では、オリフィス９２の開口面を水平面に対して略９０°の角度としたが、この角度は、オリフィス９２の開口面が斜め下を向くように、水平面に対して４５〜９０°の範囲で変えてもよい。オリフィス９２の開口面が斜め下を向くことにより、オリフィス９２が担体によって洗われ易くなり、一層閉塞しにくくなるからである。なお、オリフィス９２の開口面の角度を変えるには、キャップ部材９ａの端面９１の角度を変えるとよい。また、オリフィス９２の形状は、円形、楕円形、長方形、あるいは、それらの形状の組み合わせ等、種々の形状を採り得る。また、回動部材９４は、回動角度によってオリフィス９２の開口面の少なくとも一部を開閉可能であればよい。
【００５２】
また、移送管９を水平に配設せずに、１次処理槽Ｓ１に向かって下降するように傾斜させて配設してもよい。また、移送管９を長くして、１次処理槽Ｓ１の前部の槽である汚泥貯留槽１に循環水を返送するようにしてもよい。また、逆洗排水の返送先を、固液分離装置１１の中央前部１５としてもよい。
【００５３】
また、移送管９を設けずに、循環装置としてオリフィス９２を直接仕切壁９に穿設してもよいが、移送管９にオリフィス９２を穿設し、かかる移送管９をタンクＴの開口部Ｈ２の直下に配設することにより、調整操作や清掃が行い易くなり、また、ポンプ２２やバッフル部２１を避けて、ろ床２６の真上に循環水を返送することができる。
【００５４】
さらに、本実施形態の浄化槽では、１次処理槽Ｓ１を汚泥貯留槽１と予備ろ過槽２とから構成し、２次処理槽Ｓ２を担体流動槽３と生物ろ過槽４とから構成したが、１次処理槽Ｓ１及び２次処理槽Ｓ２の構成はこれに限られず、１次処理槽Ｓ１を嫌気ろ床槽第１室と嫌気ろ床槽第２室とから構成し、２次処理槽Ｓ２を、担体流動・生物ろ過槽と、処理水を貯留する処理水槽とから構成することもできる。担体流動・生物ろ過槽とは、上部が担体流動槽３、下部が生物ろ過槽４の２層構造とされた槽である。また、２次処理槽Ｓ２を、生物膜ろ過槽と、本実施形態の処理水貯留部４１に相当する処理水槽とから構成することもできる。また、オリフィス９２を、２次処理槽Ｓ２の後部の槽である処理水槽や、生物ろ過槽４の処理水貯留部４１に設けることとしてもよい。
【００５５】
また、固液分離装置１１の右側部１７の右端部に、右壁部１１ｃに接しつつ前壁部１１ａと後壁部１１ｂとを連結するように略水平方向に延びる阻流板を配設することとしてもよい。かかる阻流板により、汚泥の巻き上げが抑制されるとともに、略水平方向に水流が変えられる。さらに、固液分離装置１１の左側部１８の移流口１１ｒの下に、後壁部１１ｂに接しつつ左壁部１１ｄと阻流板１１ｇとを連結するように略水平方向に延びる阻流板を配設するようにしてもよい。かかる阻流板により、真下からの流れが妨げられて、略水平方向の水流が形成される。このように、阻流板により水流方向を変えれば、被処理水の流路を長くできるので、分離性能を高めることができる。
【００５６】
さらに、固液分離装置１１の長手方向と浄化槽の長手方向とがなす角度は、スペースの有効利用の観点からは、本実施形態のように平面視において約９０°が望ましいが、平面視において約４５°以上約９０°以下の角度（すなわち、固液分離装置１１の長手方向が浄化槽の長手方向と一致した状態から、固液分離装置１１を水平方向に約４５°以上約９０°以下回転させた状態）であれば、汚泥濃縮貯留部１２の清掃用スペースが確保できて浄化槽の維持管理が容易となる。
【００５７】
すなわち、特許請求の範囲を逸脱しない範囲で、本発明は種々の構成を採り得る。
【図面の簡単な説明】
【００５８】
【図１】本発明の浄化槽の一実施形態の概略横断面図である。
【図２】図１の浄化槽の概略縦断面図である。
【図３】前壁部と右壁部とを２点鎖線表示した固液分離装置の概略斜視図である。
【図４】（ａ）は移送管の平面図、（ｂ）は移送管の断面図である。
【図５】移送管の背面図であり、（ａ）は５人槽、（ｂ）は１０人槽、（ｃ）はオリフィスを閉塞させた状態である。
【図６】図１の浄化槽の処理の流れを示す図である。
【図７】図１の浄化槽の被処理水の流れを示す図である。
【図８】従来の浄化槽の概略縦断面図である。
【符号の説明】
【００５９】
１  汚泥貯留槽（第１室）
６  流入管
９  移送管（循環装置）
１１  固液分離装置
２２  定量移送装置（揚水手段）
９０  流入側部
９１  端面
９２  オリフィス
９３  中心
９４  回動部材（流量調整手段）
９４ａ  ガイド部
Ｓ１  １次処理槽
Ｓ２  ２次処理槽
【図１】
2005199277.tif 000003
【図２】
2005199277.tif 000004
【図３】
2005199277.tif 000005
【図４】
2005199277.tif 000006
【図５】
2005199277.tif 000007
【図６】
2005199277.tif 000008
【図７】
2005199277.tif 000009
【図８】
2005199277.tif 000010